(57)【要約】【課題】再度正しい単語を音声入力する際に、音声入力そのものが本来有する入力の容易性を損なわず、ユーザ利便性に富んだ音声認識装置を提供する。【解決手段】音声認識装置であって、単語データを記憶する記憶部と、入力された音声の表す単語データと記憶部内に記憶された単語データとを比較して、比較時のマッチング度合いを表す認識スコアを算出し、算出した認識スコアに基づいて、認識した単語を出力する音声認識部と、音声認識部が算出した認識スコアに基づいて、音声による再入力を受付け可能な受付け時間を決定する受付時間決定部と、受付時間決定部が決定した受付け時間内に再入力された音声の表す単語を再認識し、再認識した単語を出力する音声再認識部とを備える。【選択図】図１
2009015148.tif 000002
【特許請求の範囲】
【請求項１】
音声認識装置であって、
単語データを記憶する記憶部と、
入力された音声の表す単語データと前記記憶部内に記憶された単語データとを比較して、比較時のマッチング度合いを表す認識スコアを算出し、算出した認識スコアに基づいて、認識した単語を出力する音声認識部と、
前記音声認識部が算出した認識スコアに基づいて、音声による再入力を受付け可能な受付け時間を決定する受付時間決定部と、
前記受付時間決定部が決定した受付け時間内に再入力された音声の表す単語を再認識し、再認識した単語を出力する音声再認識部とを備える、音声認識装置。
【請求項２】
前記受付け時間決定部が決定した受付け時間の変化と共に変化する表示オブジェクトによってユーザに報知する受付け時間報知部を更に備えることを特徴とする、請求項１に記載の音声認識装置。
【請求項３】
前記受付け時間報知部は、前記受付時間決定部が決定した受付け時間内に音声が再入力された場合、前記表示オブジェクトの変化を停止させることを特徴とする、請求項２に記載の音声認識装置。
【請求項４】
前記受付け時間報知部は、前記受付け時間決定部が決定した受付け時間を表す表示オブジェクトの表示領域上での位置を当該受付け時間の変化と共に変化させることを特徴とする、請求項３に記載の音声認識装置。
【請求項５】
前記受付け時間報知部は、前記受付け時間決定部が決定した受付け時間を表す表示オブジェクトの目盛りの量を当該受付け時間の変化と共に変化させることを特徴とする、請求項３に記載の音声認識装置。
【請求項６】
前記受付け時間報知部は、前記受付け時間決定部が決定した受付け時間を表す表示オブジェクトの大きさを当該受付け時間の変化と共に変化させることを特徴とする、請求項３に記載の音声認識装置。
【請求項７】
前記受付け時間報知部は、前記受付け時間決定部が決定した受付け時間を表す表示オブジェクトの透明度を当該受付け時間の変化と共に変化させることを特徴とする、請求項３に記載の音声認識装置。
【請求項８】
前記音声再認識部は、前記受付け時間報知部が決定した時間の間、前記音声認識部が認識した単語を前記記憶部内から除外して再認識することを特徴とする、請求項１〜６のいずれかに記載の音声認識装置。
【請求項９】
前記音声再認識部は、前記受付け時間決定部が決定した時間の間、前記音声認識部が認識した単語に所定の単語を付加した単語を再認識することを特徴とする、請求項１〜６のいずれか記載の音声認識装置。
【請求項１０】
音声認識方法であって、
入力された音声の表す単語データと記憶部内に記憶された単語データとを比較して、比較時のマッチング度合いを表す認識スコアを算出し、算出した認識スコアに基づいて、認識した単語を出力する音声認識ステップと、
前記音声認識ステップで算出した認識スコアに基づいて、音声による再入力を受付け可能な受付け時間を決定する受付時間決定ステップと、
前記受付時間決定ステップで決定した受付け時間内に再入力された音声の表す単語を再認識し、再認識した単語を出力する音声再認識ステップとを備える、音声認識方法。
【請求項１１】
音声認識装置のコンピュータで実行される音声認識プログラムであって、
前記コンピュータに、
入力された音声の表す単語データと記憶部内に記憶された単語データとを比較して、比較時のマッチング度合いを表す認識スコアを算出し、算出した認識スコアに基づいて、認識した単語を出力する音声認識ステップと、
前記音声認識ステップで算出した認識スコアに基づいて、音声による再入力を受付け可能な受付け時間を決定する受付時間決定ステップと、
前記受付時間決定ステップで決定した受付け時間内に再入力された音声の表す単語を再認識し、再認識した単語を出力する音声再認識ステップとを実行させる、音声認識プログラム。
【発明の詳細な説明】
【技術分野】
【０００１】
本発明は、音声認識装置、音声認識方法、及び音声認識プログラムに関し、より特定的には、誤認識された発話内容を認識されるべき発話内容に訂正する音声認識装置、音声認識方法、及び音声認識プログラムに関する。
【背景技術】
【０００２】
従来の音声認識装置は、ユーザが単語を発話すると、あらかじめ保持している辞書の中に格納されている単語（以後、辞書内単語と呼ぶ）と発話した単語（以後、発話単語と呼ぶ）を確率統計処理等を用いて比較し、その中から確からしい単語を認識結果としてユーザに報知する。この際に、ユーザが発話した単語と報知した単語が異なってしまう（以後、このような現象を誤認識という）場合が発生する。これは様々原因が考えられるが、１００％正しく認識することは非常に困難である。
【０００３】
一方、確率統計処理を用いた音声認識処理では、発話単語と辞書内単語とを比較したときに、発話単語がどれだけ辞書内単語と音響的に似ているかを表す自信度（単語信頼度、尤度等と呼ばれる場合もある）を算出することができる。
【０００４】
このような自信度を用いて、自信度が９０％であれば、単語が正しく認識されたとしてそのまま受付け、自信度が５０％程度であれば、認識された単語をユーザに問い合わせ、再度正しい単語の音声入力を受付ける（例えば特許文献１参照）。
【特許文献１】特開２００１−１７５２７６号公報
【発明の開示】
【発明が解決しようとする課題】
【０００５】
しかしながら、従来の音声認識では、自信度が低い場合、認識された単語をユーザに問い合わせ、ユーザは、再度正しい単語を音声入力するために、更に再入力ボタンを押下する等の操作を行わなくてはならない。
【０００６】
このため、再入力ボタン等を押下する等の更なる１ステップの操作を経なくては、再度正しい単語を音声入力することができず、音声入力そのものが本来有する入力の容易性を損なうため、ユーザ利便性に欠ける。
【０００７】
そこで、本発明は、上記問題に鑑みてなされた。すなわち、再度正しい単語を音声入力する際に、音声入力そのものが本来有する入力の容易性を損なわず、ユーザ利便性に富んだ音声認識装置、音声認識方法、及び音声認識プログラムを提供することを目的とする。
【課題を解決するための手段】
【０００８】
本発明の第１の局面は、音声認識装置に向けられている。本発明は、単語データを記憶する記憶部と、入力された音声の表す単語データと記憶部内に記憶された単語データとを比較して、比較時のマッチング度合いを表す認識スコアを算出し、算出した認識スコアに基づいて、認識した単語を出力する音声認識部と、音声認識部が算出した認識スコアに基づいて、音声による再入力を受付け可能な受付け時間を決定する受付時間決定部と、受付時間決定部が決定した受付け時間内に再入力された音声の表す単語を再認識し、再認識した単語を出力する音声再認識部とを備える。
【０００９】
この構成により、再度正しい単語を音声入力する際に、音声入力そのものが本来有する入力の容易性を損なわず、ユーザ利便性に富んだ音声認識装置を提供することができる。
【００１０】
また、受付け時間決定部が決定した受付け時間の変化と共に変化する表示オブジェクトによってユーザに報知する受付け時間報知部を更に備えることが好ましい。
【００１１】
この構成により、機器側の認識の自信度によって、ユーザが認識結果を正しく変更できる時間が報知されるため、ユーザは訂正操作にあわてることなく誤認識を訂正できる。
【００１２】
また、受付け時間報知部は、受付時間決定部が決定した受付け時間内に音声が再入力された場合、表示オブジェクトの変化を停止させることが好ましい。
【００１３】
この構成により、ユーザは機器側が自分の発話した内容を処理（認識）していることを直感的に理解することができる。
【００１４】
また、受付け時間報知部は、受付け時間決定部が決定した受付け時間を表す表示オブジェクトの表示領域上での位置を当該受付け時間の変化と共に変化させることが好ましい。
【００１５】
この構成により、オブジェクトの移動が開始する位置と、終了する位置の間の距離を見るだけで、再入力可能な残り時間を直感的に把握することができる。
【００１６】
また、受付け時間報知部は、受付け時間決定部が決定した受付け時間を表す表示オブジェクトの目盛りの量を当該受付け時間の変化と共に変化させることが好ましい。
【００１７】
この構成により、ユーザは、修正する時間の緊急度を直感的に把握することができる。
【００１８】
また、受付け時間報知部は、受付け時間決定部が決定した受付け時間を表す表示オブジェクトの大きさを当該受付け時間の変化と共に変化させることが好ましい。
【００１９】
この構成により、ユーザは最初の文字の小ささから機器側の自信度を直感的に推し量ることができる。
【００２０】
また、受付け時間報知部は、受付け時間決定部が決定した受付け時間を表す表示オブジェクトの透明度を当該受付け時間の変化と共に変化させることが好ましい。
【００２１】
この構成により、ユーザは最初の文字の透明度から機器側の自信度を直感的に推し量ることができる。
【００２２】
また、音声再認識部は、前記受付け時間報知部が決定した時間の間、前記音声認識部が認識した単語を前記記憶部内から除外して再認識することが好ましい。
【００２３】
この構成により、時間内に今回認識された結果を訂正するべく音声が入力されても、再度、前回と同じ単語が認識されることがなくなるため、認識率が高くなる。
【００２４】
また、音声再認識部は、受付け時間決定部が決定した時間の間、音声認識部が認識した単語に所定の単語を付加した単語を再認識することが好ましい。
【００２５】
この構成により、ユーザは、時間内に今回認識された結果を訂正するべく単語を発話しようとしたときに、誤った結果を見て動揺し、単語と一緒に不要語を発話しても、ユーザが所望する単語を認識結果として出力できる。
【００２６】
本発明の第２の局面は、音声認識方法に向けられている。本発明は、入力された音声の表す単語データと記憶部内に記憶された単語データとを比較して、比較時のマッチング度合いを表す認識スコアを算出し、算出した認識スコアに基づいて、認識した単語を出力する音声認識ステップと、音声認識ステップで算出した認識スコアに基づいて、音声による再入力を受付け可能な受付け時間を決定する受付時間決定ステップと、受付時間決定ステップで決定した受付け時間内に再入力された音声の表す単語を再認識し、再認識した単語を出力する音声再認識ステップとを備える。
【００２７】
この構成により、再度正しい単語を音声入力する際に、音声入力そのものが本来有する入力の容易性を損なわず、ユーザ利便性に富んだ音声認識方法を提供することができる。
【００２８】
本発明の第３の局面は、音声認識装置のコンピュータで実行される音声認識プログラムに向けられている。本発明は、コンピュータに、入力された音声の表す単語データと記憶部内に記憶された単語データとを比較して、比較時のマッチング度合いを表す認識スコアを算出し、算出した認識スコアに基づいて、認識した単語を出力する音声認識ステップと、音声認識ステップで算出した認識スコアに基づいて、音声による再入力を受付け可能な受付け時間を決定する受付時間決定ステップと、受付時間決定ステップで決定した受付け時間内に再入力された音声の表す単語を再認識し、再認識した単語を出力する音声再認識ステップとを実行させる。
【００２９】
この構成により、再度正しい単語を音声入力する際に、音声入力そのものが本来有する入力の容易性を損なわず、ユーザ利便性に富んだ音声認識プログラムを提供することができる。
【発明の効果】
【００３０】
以上説明したように、本発明の各局面によれば、再度正しい単語を音声入力する際に、音声入力そのものが本来有する入力の容易性を損なわず、ユーザ利便性に富んだ音声認識装置、音声認識方法、及び音声認識プログラムを提供することができる。
【発明を実施するための最良の形態】
【００３１】
以下、本発明の実施の携帯の音声認識装置について、図面を用いて説明する。
【００３２】
図１は、本発明の実施の形態に係る音声認識装置の全体構成を表すブロック図である。図１において、音声認識装置は、音声入力部１００、認識部２００、認識対象単語格納部３００、修正タイミング制御部４００、報知内容制御部５００、及び報知部６００を備える。そして音声入力部１００は認識開始終了部１１０を更に備え、認識部２００は更に認識スコア算出部２１０を備える。
【００３３】
音声入力部１００はユーザが発話した音声を取り込む、例えばマイクである。この音声を取り込む際に、認識部２００にこれから音声データを入力することを事前に通知する認識開始終了部１１０をユーザは操作する。この認識開始終了部１１０は、ユーザによって操作される場合は、例えばボタン操作であったり、特別な単語を発話することをトリガーとして動作する。
【００３４】
認識開始終了部１１０から通知を受けると、認識部２００は、この入力された音声データの取込を開始し、認識対象単語格納部３００に格納されている単語（以後、辞書内単語と呼ぶ）と比較し、辞書内単語の中で音響的に近い単語を抽出する。なお、上記の比較処理を実現する技術としては、多くの音声認識処理で適用されているＨＭＭ（隠れマルコフモデル）等の確率統計処理技術を適用すればよい。この音響的に近い単語を抽出する際に、認識スコア算出部２１０は、単語同士がどれほど近いか（似ているか）をスコアとして算出する。このようなスコアとしては、一般的な尤度や単語信頼度等が用いればよい。なお、本実施の形態では、このスコアを仮に０から１０までの範囲で、最も音響的に近い場合を０とし、遠い場合を１０とする。
【００３５】
ここで、ユーザが「見る」と単語を発話した時を例として各処理について説明する。
【００３６】
認識部２００は「見る」の音声データを受け取り、認識対象単語格納部３００に格納されている辞書内単語の中から、発話された「見る」に近い単語を抽出してくる。この際、認識対象単語格納部３００には、「見る」と「地図」いう単語があらかじめ登録されていたとし、認識部２００は音響的に最も近い単語として「地図」を抽出し、認識した結果とする。そして、認識した「地図」という単語に対して、認識スコア算出部２１０が算出したスコアが“６”だったとする。
【００３７】
ここで、図２を用いて処理の流れを説明する。認識部２００は認識単語（“地図”）と算出スコア（“６”）を修正タイミング制御部４００に送信する（ステップＳ２００）。
【００３８】
修正タイミング制御部４００は、通知された算出スコアを用いて、認識単語の修正が可能な時間を決定する（ステップＳ２０１）。例えば今回の場合、スコアが“６”なので、６秒間というタイミングを設定するが、この設定方法は、認識結果に自信があればあるほど修正できる時間が短くなり、自信がないほど修正できる時間が長くなるように設定すればよい。なお、このときの時間は認識部２００が算出したスコアに対して、離散的な値でも連続的な値でも構わない。
【００３９】
次に修正タイミング制御部４００は、認識開始終了部１１０に対して、認識を開始するようにトリガーを通知する（ステップＳ２０３）。この通知を受けた認識開始終了部１１０は認識部２００に認識処理ができるように開始トリガーを通知する（ステップＳ２０４）。
【００４０】
ここで、修正可能な時間内にユーザが発話したかどうかで処理が分岐する。つまり、今回の例の場合、６秒以内にユーザが単語を発話したかどうかである。
【００４１】
時間内にユーザが発話した場合、認識部２００は認識対象単語格納部３００を参照して音声認識処理を行い、認識単語を抽出する（ステップＳ２０５，ステップＳ２０６）。その後に、認識単語とスコアを通知された修正タイミング制御部４００は、前回の認識した単語を、今回通知された単語に修正して再認識する。
【００４２】
これにより、例えば、今回ユーザが再度「見る」と発話したとして、認識部２００が「見る」と認識したとすると、前回認識された単語（“地図”）を、今回発話した単語（“見る”）に置き換えて、前回の単語を修正して再認識できるようになる。そのため、ユーザは前回発話した単語を修正して再認識する際に、認識開始終了部１１０の操作や前回の認識結果を訂正するだけの操作を必要とせずに、再度認識してもらいたい単語を発話するだけで訂正操作が可能になる。そして、スコアが低いとき（認識の自信度が低いとき）は修正できる時間が長くとられるため、ユーザに修正できる機会を多く与えることができる。逆に、スコアが高いとき（認識の自信度が低いとき）は、修正の時間が短いため、ユーザにとって待ち時間が少なく、次の操作に支障が出ない。
【００４３】
また、ステップＳ２０２にて、前回の認識単語（本例の場合、“地図”という単語）を一時的に認識部２００が参照する認識対象単語格納部３００から削除している。これは、再度ユーザが発話したときに、音響的に似通った単語が認識対象とならなくなるため誤認識が生じにくくなり、認識率を高める効果がある。
【００４４】
そしてステップＳ２１３にて、認識対象単語格納部３００に格納されている各単語の前に、「え〜っと」や「あの〜」などの不要語を追加した単語を一時的に認識対象単語格納部３００に追加している。これは、ユーザが思いもよらない認識結果を報知されたときに思わず発声してしまう不要語に対して、認識部２００が誤認識をしないようにするためである。
【００４５】
そして、これらステップＳ２０２，ステップＳ２１３の処理はスコアによって、処理をするかしないかを判定してもよい。特に、認識部２００の算出したスコアが、非常に信頼性の高い値であった場合に、単語の登録などの処理負荷は高いため省略し、負荷を軽減することができる。
【００４６】
また、図２には記載していないが、ステップＳ２０２、ステップＳ２１３の処理が終わった後に、認識部２００にて認識が終了、もしくは、修正可能時間が過ぎたときに、認識対象単語格納部３００に対してステップＳ２０２とステップＳ２１３で処理した内容を元に戻すこととする。
【００４７】
次に、修正可能時間を経過しても、ユーザからの発話がなかった場合について説明する。これは、今回の例の場合、６秒を過ぎても音声データが音声入力部１００から入力されなかった場合であり、このときは、修正可能時間経過後すぐに修正タイミング制御部６００は認識開始終了部１１０に認識を終了するトリガーを通知する。そして、認識開始終了部１１０はこの通知を受けて、終了トリガーを認識部２００に通知することにより、認識部２００は次のユーザ操作による開始トリガーが入力されない限り認識処理を行わない。
【００４８】
このように処理することにより、ユーザが発話した単語の認識スコアが低くても、正しく認識された場合は、ユーザは何も操作をすることないため、余計な操作をする必要がない。
【００４９】
一方、修正タイミング制御部４００は、算出した修正可能時間と認識単語を報知内容制御部５００に通知する。
【００５０】
報知内容制御部５００は、認識した単語が修正可能である旨をユーザに報知するために報知方法を制御し、報知部６００に通知する。この報知部６００は、例として液晶ディスプレイや有機ＥＬなどのＧＵＩを表示する形態のものや、スピーカーなどの音（音声、ビープ音）をならすことができる形態のものや、モータなどの触覚を報知することができる形態のものなどが考えられる。ここで、報知方法としては、図３Ａから図６のような方法が考えられる。なお、これらの例として、認識部２００が「地図」と認識し、修正可能時間が６秒だったときとする。
【００５１】
図３Ａと図３Ｂには、移動量が変化する場合の例を示す。
【００５２】
図３Ａと図３Ｂは認始結果を出力する報知するディスプレイＤ３００上に、修正可能時間内の変化を状態１（開始）から状態３（終了）までを表したものである。なお、本例では、３つの状態に分割しているが、状態間は連続的に変化していても良い。
【００５３】
まず、図３Ａは、認識部２００が認識した単語Ｗ３００が、ディスプレイＤ３００内を修正可能時間の間、一定の速度（もしくは加速度）で移動している様子を表している。この例では、領域Ｄ３０１の示す位置に単語Ｗ３００が移動すると修正時間は終了し、認識結果であるＷ３００は認識結果として確定するとしている。本例では、修正時間が６秒（状態１から状態３までにかかる時間）としていたが、仮に修正可能時間が３秒であった場合は、単語Ｗ３００の初期位置を状態２の位置に置くことができる。つまり、ユーザは単語Ｗ３００と領域Ｄ３０１の間の距離を見て、後どれくらいの修正時間が残っているかを感覚で捉えることができる。
【００５４】
また、図３Ｂは、目盛りＤ３０３が、時間が経過するに従って増えていき、領域Ｄ３０２を徐々に満たすことを表している図である。このような目盛りを表示することで、ユーザは直感的に残りの修正時間を捉えることができる。また、修正時間に応じて、目盛りＤ３０３や領域Ｄ３０２の幅を変更しても良い。これにより、１目盛り増える時間を変えずに修正時間を変化させることができる。なお、図３Ｂの状態１（開始）にて、目盛りＤ３０３が増えているが、目盛りＤ３０３を０としても構わない。
【００５５】
次に図４を用いて、大きさが変化する場合の例を示す。
【００５６】
図４においても、修正可能時間の間の状態を、状態１（開始）から状態３（終了）を用いて説明する。認識部２００が認識した単語Ｗ３００は、修正が開始できる状態（状態１）では、文字の大きさを小さくして、それを徐々に大きくし、最終的に一番大きくなったところで、修正時間を終了する。このようにすることで、ユーザは最初の文字の小ささから機器側の自信度を直感的に推し量ることができ、修正できる時間が長くとられることも理解することができる。またその場での変化であるため、ユーザの視線の移動量も少なくて、車などの機器にとって適していると考えられる。
【００５７】
また、図４の様な形態で、文字の大きさではなく、単語Ｗ３００の文字点滅等の速度を変化させる場合も考えられる（図面なし）。
【００５８】
このような場合、点滅の速度（周期）を状態１では早く（短く）し、その後徐々に速度をゆっくり（長く）して、状態３では点滅しないとすることで、ユーザは点滅の速度を見るだけで、残り時間を推し量ることができ、ユーザが最も注目すべき内容（認識結果）が点滅することで、誤認識の可能性があることを機器側から示唆することができる。なお、速度を変化させる対象は、単語の大きさや、単語の移動する速度等が考えられる。
【００５９】
さらに、図５のように、認識単語を表示する透明度を変化させる場合も考えられる。
【００６０】
この場合も認識単語Ｗ３００の自信度をユーザに直感的に提示することができ、かつ修正できる残りの時間も感覚的に推し量ることができる。
【００６１】
また、図６のように時間表示領域Ｄ３０４に、修正可能時間の残り時間を表示する場合が考えられる。
【００６２】
この場合は、ユーザに、直接修正可能時間を表示するため、残り時間が非常に端的に表されており、わかりやすい。
【００６３】
なお、上記に記述した図３Ａから図６までの例は、それぞれ有機的に組み合わせて表示しても良い。
【００６４】
これら変化をしている最中に、ユーザは新たに単語を修正する際は、修正したい単語を発話することができる。例えば、「見る」と発話した場合は、認識開始終了部１１０を操作することなく、認識部２００が認識を開始する。この認識部２００が認識処理を開始し始めたときに、報知内容制御部５００は上記図３Ａから図６で示したような各種変化を止める。
【００６５】
これにより、変化がなくなったことにより、ユーザは機器側が自分の発話した内容を処理（認識）していることが直感的に理解することができる。なお、その他の表示方法としては、アイコンの表示や変更をしたり、画面の色を変更したり、文字により状態を表すガイダンスを設けたりしても良い。
【００６６】
本発明は、上述した実施の形態を実現するソフトウェアのプログラム（実施の形態では図に示すフロー図に対応したプログラム）が装置に供給され、その装置のコンピュータが、供給されたプログラムを読出して、実行することによっても達成させる場合を含む。したがって、本発明の機能処理をコンピュータで実現するために、コンピュータにインストールされるプログラム自体も本発明を実現するものである。つまり、本発明は、本発明の機能処理を実現させるための音声認識プログラムも含む。
【００６７】
このように、再度正しい単語を音声入力する際に、音声入力そのものが本来有する入力の容易性を損なわず、ユーザ利便性に富んだ音声認識装置、音声認識方法、及び音声認識プログラムを提供することができる。
【００６８】
上記実施の形態で説明した構成は、単に具体例を示すものであり、本願発明の技術的範囲を制限するものではない。本願の効果を奏する範囲において、任意の構成を採用することができる。
【産業上の利用可能性】
【００６９】
以上のように、本発明にかかる音声認識装置は、ユーザは訂正操作にあわてることなく誤認識を訂正でき、誤認識を訂正するためのステップが短縮できるという効果を有し、誤認識された発話内容を認識されるべき発話内容に訂正する音声認識装置等として有用である。
【図面の簡単な説明】
【００７０】
【図１】本発明の実施の形態における音声認識装置の全体ブロック図
【図２】本発明の実施の形態における音声認識装置の動作説明のためのシーケンス図
【図３Ａ】本発明の実施の形態における音声認識装置が時間経過によって表示する様子を表した表示の一例
【図３Ｂ】本発明の実施の形態における音声認識装置が時間経過によって表示する様子を表した表示の一例
【図４】本発明の実施の形態における音声認識装置が時間経過によって表示する様子を表した表示の一例
【図５】本発明の実施の形態における音声認識装置が時間経過によって表示する様子を表した表示の一例
【図６】本発明の実施の形態における音声認識装置が時間経過によって表示する様子を表した表示の一例
【符号の説明】
【００７１】
１００  音声入力部
１１０  認識開始終了部
２００  認識部
２１０  認識スコア算出部
３００  認識対象単語格納部
４００  修正タイミング制御部
５００  報知内容制御部
６００  報知部
Ｄ３００  ディスプレイ
Ｄ３０１  表示領域
Ｄ３０２  表示領域
Ｄ３０３  目盛り
Ｄ３０４  時間表示領域
Ｗ３００  認識単語
【図１】
2009015148.tif 000003
【図２】
2009015148.tif 000004
【図３Ａ】
2009015148.tif 000005
【図３Ｂ】
2009015148.tif 000006
【図４】
2009015148.tif 000007
【図５】
2009015148.tif 000008
【図６】
2009015148.tif 000009